(57)【特許請求の範囲】
【請求項１】
カード挿入口にカードリーダ内部へのカードの取り込みを許容する開閉自在のシャッタと上記カードの挿入を検出するカード幅検知手段とを備え、上記カード幅検知手段によってカードの挿入が検知されたときに上記シャッタを開位置に移動させ、上記カードをカードリーダ内部に取り込んで所定の処理を行なうようにしたカードリーダにおいて、上記カード幅検知手段はカードに当接して移動するカード幅検知部材を有し、更に、上記カード幅検知部材の移動域に移動可能な係合部材と、該係合部材を移動させる移動機構を設け、上記シャッタが開位置にあるときにカードの異常停止を検出したときには、上記移動機構を動作させて上記係合部材を上記カード幅検知部材の移動域に臨ませ、上記カード幅検知部材によりカードの取り出しを阻止するようにしたことを特徴とするカードリーダ。
【請求項２】
前記カード幅検知手段は前記カード幅検知部材が移動したときに動作する検知スイッチを有するとともに、上記カード幅検知部材はカードに係合して上記カードによって移動させられるものであることを特徴とする請求項１記載のカードリーダ。
【請求項３】
前記カード幅検知部材の係合部は前記シャッタよりカード挿入口側に位置してなることを特徴とする請求項１または２いずれかに記載のカードリーダ。
【請求項４】
カードの異常停止を検出する異常停止検出手段を備え、該異常停止検出手段は複数のカード検出センサを有し、カードの移動を検出することにより、異常検出するものであると共に、前記シャッタには、シャッタの開位置を検知する検知手段が接続されることを特徴とする請求項１から３いずれかに記載のカードリーダ。
【発明の詳細な説明】
【０００１】
【発明の属する技術分野】
本発明は、カードリーダに関する。さらに詳述すると、本発明は、カードリーダにおけるカードの詐取行為を防止するための構造に関する。
【０００２】
【従来の技術】
従来のカードリーダ１０１では、図６に示すように、カード挿入口１０４に例えばソレノイドで開閉されるシャッタ１０２を設けて、カード１０３以外の異物が挿入されるのを防止すると共にカードリーダ１０１内で詰まったカード１０３が不正に取り出されて盗まれることがないようにして、カードリーダ１０１のセキュリティが図られている。このカードリーダ１０１では、カード１０３がカード挿入口１０４から挿入されると、シャッタ１０２がカード通路１０５から退避して、挿入されたカード１０３をカードリーダ１０１内部に取り込み得るようにしている。また、カード１０３がシャッタ１０２より中へ入ってしまうと、シャッタ１０２が閉じて、不正行為によってカード１０３が取り出されるのを防いでいる。
【０００３】
【発明が解決しようとする課題】
しかしながら、従来のカードリーダ１０１では、不正者が何らかの細工を施してシャッタ１０２の開閉位置上でカード１０３を意図的に詰まらせるような不正行為を働いた場合、シャッタ１０２は完全には閉じることができず、シャッタとしての機能を果たすことができない。この際、カード１０３の後端がカード挿入口１０４から露出した状態で詰まっている場合には、カード１０３の所有者がカード１０３を引き抜いて回収することができるため問題とはならないが、カードの後端がカード挿入口１０４の内側にかくれている場合には、カードを手で引き抜くことができないので、所有者がカード１０３を回収することができず、詰まったカード１０３を放置したままの状態で、係員等を呼ぶためにカードリーダ１０１から離れてしまうことがある。この隙に、不正者が工具等を使用してカード１０３を取り出し持ち去ることが可能になる。
【０００４】
このように、シャッタ１０２を備えた従来のカードリーダ１０１においても、カード１０３を詐取する巧妙な手口によって、カード１０３を取り出され、持ち去られる問題は残っている。
【０００５】
そこで本発明は、シャッタが閉まらない場合にもカードの不正な取り出しを阻止できるカードリーダを提供することを目的とする。
【０００６】
【課題を解決するための手段】
かかる目的を達成するため、請求項１記載の発明は、カード挿入口にカードリーダ内部へのカードの取り込みを許容する開閉自在のシャッタとカードの挿入を検出するカード幅検知手段とを備え、カード幅検知手段によってカードの挿入が検知されたときにシャッタを開位置に移動させ、カードをカードリーダ内部に取り込んで所定の処理を行なうようにしたカードリーダにおいて、カード幅検知手段はカードに当接して移動するカード幅検知部材を有し、更に、カード幅検知部材の移動域に移動可能な係合部材と、係合部材を移動させる移動機構を設け、シャッタが開位置にあるときにカードの異常停止を検出したときには、移動機構を動作させて係合部材をカード幅検知部材の移動域に臨ませ、カード幅検知部材によりカードの取り出しを阻止するようにしている。
【０００７】
したがって、カードを詐取するために何らかの細工が施されてシャッタの開閉位置上でカードが意図的に停止させられる不正行為（以下、単に不正行為という）が起きたとしても、この異常停止が検出されると移動機構が動作して、係合部材がカード幅検知部材の移動域に移動するので、カード幅検知部材がカード走行路から退避できなくなる。このため、カード幅検知部材がストッパとなり、カードの取り出しが阻止される。
【０００８】
また、請求項２に記載の発明のように、請求項１記載のカードリーダにおいて、カード幅検知手段をカード幅検知部材が移動したときに動作する検知スイッチを有するものとし、カード幅検知部材をカードに係合してカードによって移動するものとしても良い。
【０００９】
また、請求項３に記載の発明は、請求項１または２いずれかに記載のカードリーダにおいて、カード幅検知部材の係合部をシャッタよりカード挿入口側に位置するようにしている。
【００１０】
したがって、シャッタが開位置にある状態でカードの異常停止が起きたとしても、この異常停止が検出されると移動機構が動作して、係合部材がカード幅検知部材の移動域に移動し、シャッタよりカード挿入口側に位置するカード幅検知部材がカード走行路から退避できなくなる。このため、カード幅検知部材がストッパとなって、カードの取り出しが阻止される。
【００１１】
また、請求項４に記載の発明は、請求項１から３いずれかに記載のカードリーダにおいて、シャッタの開位置を検知する検知手段がシャッタに接続されると共に、カードの異常停止を検出する異常停止検出手段を備え、異常停止検出手段が複数のカード検出センサを有し、カードの移動を検出することにより、異常検出するもので構成されている。
【００１２】
カードが正常に搬送されると、異常停止検出手段の複数のカード検出センサは所定の順序でカードを検出する。したがって、複数のカード検出センサが所定の順序でカードを検出できなければ、カードが異常停止していると考えられる。このようにして異常停止検出手段はカードの異常停止を検出する。また、この状態において、シャッタの開位置を検知する検知手段がオンとされていれば、シャッタの開閉位置上でカードが異常停止したと判断する。そこで、移動機構を動作させて、カードの取り出しを阻止する。
【００１３】
【発明の実施の形態】
以下、本発明の構成を図面に示す実施の形態の一例に基づいて詳細に説明する。
【００１４】
図１から図５に、本発明のカードリーダの実施の一形態を示す。このカードリーダ１は、カード挿入口２１より内部側に設けたカードリーダ１内部へのカード２の取り込みを許容する開閉自在のシャッタ３と、シャッタ３よりカード挿入口２１側に検知部２２が設けられたカード２の挿入を検出するカード幅検知手段４とを備え、カード幅検知手段４によってカード２の挿入が検知されたときにシャッタ３を開位置に移動させ、カード２をカードリーダ１内部に取り込んで所定の処理を行なうように構成してなるもので、カード幅検知手段４はカード２に当接する検知部２２と検知部２２を有して移動するカード幅検知部材５を有し、更に、カード幅検知部材５の移動域に移動可能な係合部材６と係合部材６を移動させる移動機構７を設け、シャッタ３が開位置にあるときにカード２の異常停止を検出した時には、移動機構７を動作させて係合部材６をカード幅検知部材５の移動域に臨ませ、カード幅検知部材５によりカード２の取り出しを阻止するように構成されている。
【００１５】
カード幅検知手段４は、カード２に検知部２２が当接して移動するカード幅検知部材５（以下、単に検知部材５という）と、検知部材５が移動したときに動作する検知スイッチ８により構成される。
【００１６】
検知部材５はベゼル１３内部に設けられ、図中矢印Ａで示すカード挿入方向に対してシャッタ３のカード挿入口２１側、即ちシャッタ３より手前側に配置される。カード２の後端が検知部材５よりも手前側に位置している場合には、カード２の後端がカード挿入口２１から露出しておりカード２を手で取り出すことができる。一方、カード２の後端が検知部材５よりもシャッタ３側（奥側）に位置している場合には、カード２を手で取り出すことはできないが、検知部材５を利用して工具類によるカード２の取り出しを阻止することができる。
【００１７】
検知部材５は、カード２によって押される初期位置５ａとカード検知位置５ｂの間を支軸９を中心に移動可能に取り付けられている。なお、検知部材５は、カード２と係合することによってカード検知位置５ｂに移動し、カード２が通過した後には、図示しないリターンスプリングによって初期位置５ａに復帰するように設けられている。即ち、初期位置５ａとカード検知位置５ｂの間の領域が検知部材５の移動域である。一方、検知スイッチ８は、検知部材５が検知位置５ｂに移動することによってオンとされ、挿入されたカード２の幅を検知する。
【００１８】
また、移動機構７は、ソレノイド１０とアーム１２とを有し、これらはフレーム１５に取り付けられている。
【００１９】
アーム１２は、支軸１４を中心に回転可能にフレーム１５に取り付けられる。また、アーム１２の上端近傍には、係合孔１６が設けられ、この係合孔１６にソレノイド１０のプランジャ１１に設けられた係合ピン１７が嵌められる。これにより、ソレノイド１０によるプランジャ１１の動きに連動し、アーム１２が退避位置１２ａとロック位置１２ｂとの間を移動するように構成されている。
【００２０】
また、支軸１４の周囲にはねじりコイルばね２０が設けられ、アーム１２を退避位置１２ａの方向に付勢するようにしている。このため、ソレノイド１０がオフ状態のときはプランジャ１１がアーム１２に引かれて突出し、アーム１２が退避位置１２ａに停止する。一方、ソレノイド１０がオンとなったときは、プランジャ１１が吸引され、ねじりコイルばね２０の付勢力に抗しながらアーム１２がロック位置１２ｂに移動する。
【００２１】
また、アーム１２の下端部は係合部材６になっている。したがって、アーム１２が退避位置１２ａにあるときには、係合部材６は検知部材５の移動域から退避位置６ａに退避している。この退避位置６ａでは、係合部材６が検知部材５の移動に干渉することがない。一方、アーム１２がロック位置１２ｂに移動すると、係合部材６は検知部材５の移動域内のロック位置６ｂに移動する。ロック位置６ｂに移動した係合部材６は、検知部材５が初期位置５ａから検知位置５ｂに移動するのを妨げる。
【００２２】
カードリーダ１にはカード２の異常停止（詰まり）を検出する異常停止検出手段１８が備えられている。かかる異常停止検出手段１８として、例えば、複数のカード検出センサ１８を利用することができる。本実施形態では、異常停止検出手段１８として二個のカード検出センサ１８ａ，１８ｂを備えており、第一のカード検出センサ１８ａをシャッタ３からカード挿入方向奥側でカード２の長さの範囲内に、第二のカード検出センサ１８ｂを第一のカード検出センサ１８ａよりカード搬送方向奥側でシャッタ３からカード２の長さよりも離れた位置に、各々配置する。
【００２３】
このようにカード検出センサ１８が配置される場合、正常な場合であれば、カード２の搬送に伴って、カード検出センサ１８ａ，１８ｂがカード２を順次検出する。しかし、第一のカード検出センサ１８ａがカード２を検出したが、その検出後から所定時間以上経過しても、第二のカード検出センサ１８ｂではカード２を検出できない場合は、カード２が異常停止したと考えられる。したがって、カード検出センサ１８ａ，１８ｂを使用してカード２の異常停止を検出することができる。なお、設置するカード検出センサ１８の数や位置は上述のものに限定されるものではないことはもちろんである。
【００２４】
また、シャッタ３の近傍には、シャッタ３が開いたのを検知する検知センサ１９が設けられている。カード検出センサ１８によりカード２の異常停止が検出されても、シャッタ３が閉じた状態であれば、カード２はカードリーダ１の内部に取り込まれており、カード２の詐取を意図する不正者はカード２を取り出すことができないと考えられる。しかし、シャッタ３が開いている状態であれば、カード２がシャッタ３の開閉位置をまたいだ状態で停止していると考えることができる。この場合、カード２の後端がカード挿入口２１より露出していれば、カード２の所有者がカード２を引き抜いて回収することができるが、カード２の後端がカード挿入口２１の内側にある状態で停止しているときには、カード２を手で引き抜くことができず、カード２の所有者はカード２を放置したままの状態で係員を呼びに行かねばならない。しかしながら、この状態ではシャッタ３は開いており、工具類を使用すればカード２を引き抜くことができる。即ち、カード２の所有者が係員を呼びにカードリーダ１から離れた隙に、不正者がカード２を取り出すことが可能となる。そこで、カード検出センサ１８によりカード２の異常停止が検出された場合であって、かつ検知センサ１９によってシャッタ３が開いたままの状態であることが検知されたときに、シャッタ３の開閉位置上で（開閉位置をまたいで）カード２が異常停止したと判断し、この状態で問題となる放置せざるを得ないカード２、即ち手で引き抜くことができないカード挿入口２１内で停止したカード２を、移動機構７を作動させることで不正者によって取り出されるのを防止する。
【００２５】
つまり、カード２がカード挿入口２１に挿入されると、初期位置５ａにある検知部材５の検知部２２にカード２の前端が当接し、カード２は検知部材５を押し退けて進入しようとする。このとき、移動機構７のソレノイド１０はオフの状態であるため、係合部材６は退避位置６ａにある。このため、検知部材５はカード２に押されてカード検知位置５ｂに移動する。検知スイッチ８は、この検知部材５の移動によってカード２の幅を検知する。検知されたカード２の幅が所定のものであれば正規のカードと考えられるのでシャッタ３を開き、図示しないカード搬送ローラを駆動させてカード２を取り込む。そして、カード２がさらに奥側へ取り込まれると、カード２と検知部材５の係合が外れて、検知部材５が初期位置５ａに復帰する。
【００２６】
ここで、カード検出センサ１８ａ，１８ｂが順次、カード２を検出できれば、カード搬送は正常と判断される。そして、カード２が所定位置まで取り込まれると、シャッタ３が閉じられ、カード２に対して所定の処理が行なわれる。
【００２７】
一方、カード２がシャッタ３の開閉位置上で詰まると、カード検出センサ１８によりカード２の異常停止が検出され、しかも検知センサ１９によってシャッタ３が開いたままの状態であることが検知される。この場合には、移動機構７のソレノイド１０がオンとなる。このとき、カード２の後端が検知部材５よりもシャッタ３側に位置している場合には、検知部材５は初期位置５ａに復帰しており、また、ソレノイド１０がオンになることでプランジャ１１が引かれ、アーム１２がロック位置１２ｂに移動する。これにより、係合部材６がロック位置６ｂに移動し、検知部材５の検知位置５ｂへの移動を防止する。したがって、カード挿入口２１に工具類を差し込んでカード２を不正に取り出そうとしても、検知部材５がカード２に引っ掛かることでストッパとして作用するので、カード２を取り出すことはできない。即ち、カード２の所有者が係員を呼びに行くためカードリーダ１から離れたとしても、カード２をカードリーダ１から引抜く事ができないので、不正者によるカード２の略取を防止することができる。
【００２８】
なお、カード２の後端が検知部材５よりも手前側に位置している場合、即ちカード２の後端がカード挿入口２１より露出している場合には、カード検出部材５は検知位置５ｂに移動しているので、検知部材５がカード２の引き抜きを阻止することはない。この場合には、カード２の所有者はカード２の露出部分を摘まんでカード２を引き抜き回収することができる。
【００２９】
なお、上述の実施形態は本発明の好適な実施の一例ではあるがこれに限定されるものではなく、本発明の要旨を逸脱しない範囲において種々変形実施可能である。
【００３０】
例えば、上述の実施形態では、係合部材６を検知部材５と係合させて、カード２の取り出しを阻止するように構成したが、ソレノイド１０のプランジャ１１で検知部材５の移動を直接防止するようにソレノイド１０を配置する構成としても良い。
【００３１】
また、移動機構７の駆動源は専用のソレノイド１０に代えて、カードリーダ１で使用されている他のアクチュエータを共通に使用する事も可能である。例えば、切換え機構を設けることで、シャッタ用ソレノイドの動きを異常時にのみアーム１２に伝達するようにしても良い。
【００３２】
また、シャッタ３の動作に連動して係合部材６を動かすことで、検知部材５をストッパとして機能させる構成としても良い。
【００３３】
【発明の効果】
以上の説明から明らかなように、請求項１記載のカードリーダでは、カード幅検知手段はカードに当接して移動するカード幅検知部材を有し、更に、カード幅検知部材の移動域に移動可能な係合部材と、係合部材を移動させる移動機構を設け、シャッタが開位置にあるときにカードの異常停止を検出したときには、移動機構を動作させて係合部材をカード幅検知部材の移動域に臨ませ、カード幅検知部材によりカードの取り出しを阻止するようにしているので、不正行為等によってシャッタの開閉位置上でカードが異常停止した場合には、カード幅検知部材をストッパとして機能させて、カードの取り出しを阻止することができる。これにより、カードを盗用する目的でカードが詰まる（異常停止する）ように何らかの細工がカードリーダに施されたとしても、所有者が係員を呼びにカードリーダから離れた隙に、カードリーダに詰まったまま放置されたカードが盗まれるのを防止でき、カードリーダのセキュリティーを向上することができる。また、もとから設けられているカード幅検知部材をカードの取り出しを阻止するストッパとして利用しているので、別途新たなシャッタを設けることなくコストを抑えて従来のシャッタと合わせた二重ロックを構成できる。
【００３４】
また、請求項２に記載のカードリーダのように、カード幅検知手段をカード幅検知部材が移動したときに動作する検知スイッチを有するものとし、カード幅検知部材をカードに係合してカードによって移動するものとしても良い。
【００３５】
さらに、請求項３に記載のカードリーダでは、カード幅検知部材の係合部がシャッタよりカード挿入口側に位置しているので、シャッタより手前側に位置するカード幅検知部材がストッパとなり、カードの取り出しを阻止することができる。
【００３６】
そして、請求項４に記載のカードリーダでは、シャッタには、シャッタの開位置を検知する検知手段が接続されるとともに、カードの異常停止を検出する異常停止検出手段を備え、異常停止検出手段が複数のカード検出センサを有し、カードの移動を検出することにより、異常検出するもので構成されているので、カードを詐取するためにシャッタの開閉位置上でカードを意図的に停止させる不正行為があった場合でも、シャッタの開閉位置上でのカードの異常停止が検出でき、移動機構を動作させて、カードの不正な取り出しを阻止することができる。
【図面の簡単な説明】
【図１】本発明を適用したカードリーダの実施形態の一例を示す概略平面図である。
【図２】同カードリーダの概略正面図である。
【図３】同カードリーダの概略側面図である。
【図４】同カードリーダにおいて、カードとカード幅検知部材の初期位置及び検知位置の位置関係を示す概略平面図である。
【図５】同カードリーダにおいてカード幅検知部材の移動が係合部材によって防止されている状態を示す概略平面図である。
【図６】従来のカードリーダの概略側面図である。
【符号の説明】
１  カードリーダ
２  カード
３  シャッタ
４  カード幅検知手段
５  カード幅検知部材（係合部）
６  係合部材
７  移動機構
８  検知スイッチ
１８  カード検出センサ（異常停止検出手段）
１９  検知手段
【図１】
0003696469.tif 000002
【図２】
0003696469.tif 000003
【図３】
0003696469.tif 000004
【図４】
0003696469.tif 000005
【図５】
0003696469.tif 000006
【図６】
0003696469.tif 000007